(57)【要約】  【課題】  貯水タンク後方の狭い空間を利用して、洗浄庫からの排水と貯水タンクからの溢水を集約して１本のホースで機外へと排出する。  【解決手段】  タンク収納筐体４０の後壁面に奥行き方向に薄い扁平形状の排出流路ユニット６０を設ける。排出流路ユニット６０の内部には、貯水タンク３１内に連通する溢水流路６１３と、洗浄庫からの排水管に連通する排水流路６１５と、両流路６１３、６１５が合流する合流室６１２とが設けられ、合流室６１２から排水ホース連結口６１７に流路が続く。排水流路６１５及び溢水流路６１３と合流室６１５との接続部には合流室６１５内に延出したリブ６１８、６１９が設けられ、さらに合流室６１５内空間には緩衝空間６１２ａ、６１２ｂが設けられる。これにより、排水流路６１５を勢いよく流れる水は合流室６１５に吐き出された後に効率よく合流口６１６に入り、溢水流路６１３へ逆流することを回避できる。【選択図】  図１１
2007075228.tif 000002
【特許請求の範囲】
【請求項１】
食器類が内部に収容され、その底部に貯留された水を吸引して食器類に向けて噴射することで該食器類を洗浄するための洗浄庫と、該洗浄庫の下部にあって食器類の洗浄に必要な水を貯留しておくための貯水タンクと、該貯水タンクを収納するタンク収納筐体と、前記貯水タンクから前記洗浄庫内に水を送給するための給水手段と、を具備する食器洗い機において、
前記貯水タンクは所定水位以上の水を該タンク外に排出するために出口端が後方に指向した溢水管を有し、
前記貯水タンクが前記タンク収納筐体内に収納された際に前記溢水管と連通する溢水流路と、前記洗浄庫内の水を機外に排出するための排水流路と、それら両流路を合流させる合流部と、が内部に形成された排出流路ユニットを前記タンク収納筐体の背面側に設けたことを特徴とする食器洗い機。
【請求項２】
前記排出流路ユニットは奥行き方向に扁平薄形形状であることを特徴とする請求項１に記載の食器洗い機。
【請求項３】
前記排出流路ユニット内の溢水流路にあって前記貯水タンクからの水の入口端の底部の高さが前記合流部の底部の高さよりも高くされていることを特徴とする請求項１又は２に記載の食器洗い機。
【請求項４】
前記排出流路ユニット内の溢水流路は、その途中の流路の断面全体が前記合流部よりも低い位置となるように形成されていることを特徴とする請求項３に記載の食器洗い機。
【請求項５】
前記合流部は左右方向に幅広い空間を有する合流室であり、該合流室と前記排水流路との接続口は該合流室の上面に設けられ、合流した水の流出口は前記合流室の底面で且つ前記接続口に対面した位置に設けられ、さらに前記合流室と前記溢水流路との接続口は該合流室の側面に設けられて成ることを特徴とする請求項１又は２に記載の食器洗い機。
【請求項６】
前記合流室と前記排水流路との接続口に、整流用のリブが前記合流室の内部に延出して設けられていることを特徴とする請求項５に記載の食器洗い機。
【請求項７】
前記合流室と前記溢水流路との接続口に、該合流室から溢水流路への水の流れに直交又は斜交するリブが前記合流室の内部に延出して設けられていることを特徴とする請求項５又は６に記載の食器洗い機。
【請求項８】
前記貯水タンクとは別部材であって上端が該貯水タンク内部に開口した溢水口となる略Ｌ字形状の管路部材を、該貯水タンク本体の外側から取り付けることにより前記溢水管を形成するようにしたことを特徴とする請求項１に記載の食器洗い機。
【請求項９】
前記貯水タンクの一部に該タンク内の水位が規定水位に達したことを検知するための水位検知手段を有し、該水位検知手段は該タンク内の水位に応じて上下するフロートと、タンク内に水が貯留されていない状態で前記フロートを前記規定水位よりも低く且つタンク底部よりも高い初期位置に嵩上げするフロート初期位置設定手段と、前記初期位置にある前記フロートを挟むように設置された発光部と受光部とを一組とする光センサと、を含むことを特徴とする請求項１に記載の食器洗い機。
【発明の詳細な説明】
【技術分野】
【０００１】
本発明は、洗浄庫内に収容された食器類に水を噴射して洗浄を行う食器洗い機に関し、更に詳しくは、洗いやすすぎに使用する水を予め貯留するための貯水タンクを洗浄庫の外部に備える食器洗い機に関する。
【背景技術】
【０００２】
家庭用の一般的な食器洗い機は、食器類を収容した洗浄庫に水を供給して該洗浄庫の底部に水を貯留し、その水を洗浄ポンプにより吸引して回動可能なノズルアームへと圧送し、そのノズルアームに設けた水噴射穴から水を噴射することによって食器類の洗い及びすすぎを行う構成を有している。こうした食器洗い機を一般家庭の台所に設置する際には、通常、台所のシンクに配設されている水道栓の開閉栓の上流側の配管に専用の分岐水栓を取り付け、この分岐水栓と食器洗い機本体とを給水ホースで接続するような設置工事が必要となる。しかしながら、例えば、食器洗い機を購入したが分岐水栓の取付工事を行う業者との工事日程が合わずにすぐに取付工事をしてもらえなかったり、賃貸住宅などではこうした分岐水栓の取付工事が困難であったり許可されなかったりする場合もあり、こうした場合には食器洗い機を使用したくてもできないといった問題がある。
【０００３】
そこで、工事専門業者による分岐水栓の取付工事が不要な分岐水栓工事レス方式の食器洗い機が市場から要望されている。こうした食器洗い機として、例えば特許文献１及び２に記載のように、洗いやすすぎの運転に必要とする水を予め貯留しておくための貯水タンクを備えた食器洗い機が従来より知られている。こうした食器洗い機では、自動運転コースの実行に先立って使用者が運転に必要な量の水を貯水タンクに注入しておき、運転が開始されると、食器洗い機本体はその貯水タンク内の水を使用して全ての運転を実行する。
【０００４】
こうした貯水タンク式の食器洗い機において、使用者が水道栓を開けて貯水タンクへの給水を行う構成の場合、貯水タンクが満杯になったときに使用者が水道栓を閉め忘れたり閉めるのが遅れたりすると貯水タンクから水が溢れ出し、周囲を水浸しにするおそれがある。そのため、過剰な量の水が貯水タンクに給水されたときに水をオーバーフローさせて機外に排出するための溢水管を設けることが好ましい。その場合、通常の食器洗い機で洗いやすすぎ後に洗浄庫内の水を機外に排出するための排水ホースに加えて、貯水タンクからの溢水を機外に排出するための溢水ホースを食器洗い機から台所のシンクまで配設する必要があり、ホースの引き回しが煩雑になるという問題がある。
【０００５】
これを避けるために、貯水タンクに設けられた溢水管路と食器洗い機本体（通常排水ポンプの吐出口）からの排水管路を筐体内で合流させ、一本のホースとして筐体から引き出せるようにした構造が考えられる。貯水タンクが固定式である場合にはこうした構造を容易に採ることができるが、貯水タンクが固定式ではなく引き出し式であり、さらに貯水タンクの清掃のし易さを考慮して貯水タンクを取り外せるようにした構成では、上記のような構造を採ることは容易ではない。何故なら、貯水タンクの引き出し時に溢水管路が本体から離脱可能であるような着脱式の構造とする必要があるからである。
【０００６】
また、上記のような排水管路と溢水管路とを合流させるための構造体のサイズが大きくなると、その分だけ筐体内のスペースが占有されるため、貯水タンクの内容積を小さくするか或いは食器洗い機全体のサイズを大きくする必要が生じる。こうした事態を避けるためには、上記のような構造体の占有スペースをできるだけ小さくし、筐体内の空間を有効に利用しつつ設置することが望ましい。従来、こうした目的に適合した構造体は提案されていない。
【０００７】
【特許文献１】特開２０００−２９６０９２号公報
【特許文献２】特開２００３−１８０５９６号公報
【発明の開示】
【発明が解決しようとする課題】
【０００８】
本発明は上記のような課題を解決するために成されたものであり、その目的とするところは、洗いやすすぎに使用する水を予め貯留しておくための貯水タンクを備えた食器洗い機において、外形サイズを大きくしたり貯水タンクの内容積を減らしたりすることなく、排水の経路を一系統にして据付設置を容易にすることができる食器洗い機を提供することである。
【課題を解決するための手段】
【０００９】
上記課題を解決するために成された本発明は、食器類が内部に収容され、その底部に貯留された水を吸引して食器類に向けて噴射することで該食器類を洗浄するための洗浄庫と、該洗浄庫の下部にあって食器類の洗浄に必要な水を貯留しておくための貯水タンクと、該貯水タンクを収納するタンク収納筐体と、前記貯水タンクから前記洗浄庫内に水を送給するための給水手段と、を具備する食器洗い機において、
前記貯水タンクは所定水位以上の水をタンク外に排出するために出口端が後方に指向した溢水管を有し、
前記貯水タンクが前記タンク収納筐体内に収納された際に前記溢水管と連通する溢水流路と、前記洗浄庫内の水を機外に排出するための排水流路と、それら両流路を合流させる合流部とが内部に形成された排出流路ユニットを、前記タンク収納筐体の背面側に設けたことを特徴としている。
【００１０】
本発明に係る食器洗い機では、貯水タンクがタンク収納筐体内に収納されると、溢水管と排出流路ユニットの溢水流路とが連通し、貯水タンクからの溢水と洗浄庫からの排水とが排出流路ユニット内で合流して一系統の排出流路になる。したがって、本食器洗い機の据付時の排水に関わる作業としては、この排出流路の出口に一端を接続したホースを例えば台所のシンクまで伸ばすだけでよい。これにより、据付作業が容易になるとともに、食器洗い機周りのホースの引き回しがすっきりする。
【００１１】
また、本発明に係る食器洗い機では、好ましくは、排出流路ユニットが奥行き方向に扁平薄形形状である構成とするとよい。この構成によれば、奥行き方向に薄形扁平形状の排出流路ユニットで排水流路と溢水流路との合流が行えるので、タンク収納筐体内で貯水タンクの後方にそうした流路を通すための広いスペースを確保する必要がなく、その分だけ貯水タンクの内容積を増やしたり逆にタンク収納筐体のサイズを小さくしたりすることができる。それにより、食器洗いに十分な量の水を確保しながら、外形サイズを小さくすることができる。
【００１２】
また、本発明に係る食器洗い機では、前記排出流路ユニット内の溢水流路にあって前記貯水タンクからの水の入口端の底部の高さは前記合流部の底部の高さよりも高くされている構成とすることが好ましい。
【００１３】
この構成によれば、合流部から下流側で排水状態が良好でない場合でも、貯水タンク内で溢れた水は排出流路ユニット内の溢水流路に流れ込み易い。それにより、溢水管を通して水が排出できないために貯水タンクが満杯になって、水が溢れ出して周囲を濡らしてしまうことを回避することができる。
【００１４】
また、本発明に係る食器洗い機において、好ましくは、前記排出流路ユニット内の溢水流路は、その途中の流路の断面全体が前記合流部よりも低い位置となるように形成されている構成とするとよい。
【００１５】
この構成では、溢水流路への水の流入が止まったときに溢水流路の途中に水が溜まった状態となり、その流路断面全体が水で閉塞されていわゆる水封トラップが形成される。これにより、排水ホースの内部に侵入して来た不快害虫が合流部から溢水流路内に入り込んで来ても水封トラップで遮断されるため、そうした不快害虫が貯水タンク内に入り込むことを防止することができ、貯水タンクの清潔性を確保することができる。
【００１６】
また本発明に係る食器洗い機の一態様として、前記合流部は左右方向に幅広い空間を有する合流室であり、該合流室と前記排水流路との接続口は該合流室の上面に設けられ、合流した水の流出口は前記合流室の底面で且つ前記接続口に対面した位置に設けられ、さらに前記合流室と前記溢水流路との接続口は該合流室の側面に設けられて成るものとすることができる。
【００１７】
この構成では、例えば洗浄庫内の水を排出する際に排水流路に流れ込んで来た水は、合流室の上面の接続口から吐き出された後にその直下の流出口に入って機外へと案内される。合流室内に吐き出された水の中で、その一部は直接流出口に入らないこともあるが、合流室は左右方向に幅広い空間を有しているため、両側の空間が緩衝となって水の勢いを殺ぎ、水は合流室と溢水流路との接続口まで達しにくい。それによって、洗浄庫からの排水が溢水流路を逆流してしまうことを防止することができる。
【００１８】
さらに上記構成では、前記合流室と前記排水流路との接続口に、整流用のリブが前記合流室の内部に延出して設けられている構成とすると好ましい。
【００１９】
この構成によれば、整流用のリブの作用により、排水流路から合流室内に吐き出された水は合流室内に広がりにくいので、その水が合流室と溢水流路との接続口まで一層達しにくくなる。そのため、洗浄庫からの排水が溢水流路を逆流することをより一層確実に防止することができる。
【００２０】
これに加えて或いは上記構成とは別に、前記合流室と前記溢水流路との接続口に該合流室から溢水流路への水の流れに直交又は斜交するリブが前記合流室の内部に延出して設けられた構成としてもよい。
【００２１】
こうした構成によれば、排水流路から合流室内に吐き出され、合流室内に広がった水の一部が合流室と溢水流路との接続口まで進行しようとしても、上記リブによりその進行が妨害されて該接続口まで達しにくくなる。そのため、洗浄庫からの排水が溢水流路を逆流することをより一層確実に防止することができる。
【００２２】
また、本発明に係る食器洗い機において、前記貯水タンクとは別部材であって上端が該貯水タンク内部に開口した溢水口となる略Ｌ字形状の管路部材を、該貯水タンク本体の外側から取り付けることにより前記溢水管を形成するとよい。
【００２３】
この構成によれば、貯水タンクは同型であっても別部材である管路部材の形状を適宜変更することによって、貯水タンク内部の溢水口の高さ、つまり溢水水位を変更することができる。これによって、例えば同型の貯水タンクを仕様の異なる別機種の食器洗い機に利用することが容易になる。また、貯水タンクが上下の二つの部材を略水平面で熱溶着して形成されるものである場合に、溢水口の位置を熱溶着面よりも高い位置に設定することができる。これにより、溢水口の高さの制約が少なくなり、貯水タンクの構造設計や意匠設計の自由度が向上する。
【００２４】
また、本発明に係る食器洗い機において、前記貯水タンクの一部に該タンク内の水位が規定水位に達したことを検知するための水位検知手段を有し、該水位検知手段は該タンク内の水位に応じて上下するフロートと、該タンク内に水が貯留されていない状態で前記フロートを前記規定水位よりも低く且つタンク底部よりも高い初期位置に嵩上げするフロート初期位置設定手段と、前記初期位置にある前記フロートを挟むように設置された発光部と受光部とを一組とする光センサと、を含む構成とすることができる。
【００２５】
この構成では、貯水タンクに水が溜まらない状態ではフロートは発光部から出射した光を遮るため、受光部では光を受光せず検知信号は得られない。貯水タンクに水が供給されて水位が上昇し、規定水位、例えば満水水位に近くなると、フロートが上昇して発光部から出射した光を遮らなくなるため、受光部では光を受光して検知信号が得られるようになる。その後に給水手段が作動して貯水タンク内の貯留水を吸引し始めても、その吸引流量よりも貯水タンクへ流入する給水流量が多ければ、フロートは上昇したままであり、光センサで検知信号が得られ続けることにより満水状態が続くことを認識できる。
【００２６】
一方、給水手段が作動して貯水タンク内の貯留水を吸引し始めた後に、その吸引流量が貯水タンクへ流入する給水流量よりも多ければ、貯水タンク内の水位は一旦下がるから、フロートは発光部から出射した光を遮り検知信号は得られなくなる。その後、洗浄庫内の水位が上がって給水手段が停止されると貯水タンク内の水位も再び上昇し始め、光センサで検知信号が得られるようになり満水を検知できる。このように上記構成によれば、給水流量の多少に拘わらず貯水タンク内の水位が規定水位になったことを確実に検知することができる。
【発明の効果】
【００２７】
以上のように、本発明に係る食器洗い機によれば、溢水流路、排水流路、及び両流路を合流させる合流部を内部に有する排出流路ユニットをタンク収納筐体の背面側に設けたので、排水ホースはその排出流路ユニット内で一系統に集約された排出流路の出口から台所のシンクまで延伸する一本だけでよい。これにより、この食器洗い機の据付・設置が容易に行えるとともに、食器洗い機周りのホースの引き回しがすっきりする。また、排出流路ユニットが貯水タンクの出し入れの邪魔にならないので、貯水タンクの内容積を確保し易く、タンク収納筐体内のスペースを有効に利用することができる。
【発明を実施するための最良の形態】
【００２８】
本発明の一実施例による食器洗い機について、図面を参照して以下に詳しく説明する。図１は本実施例による食器洗い機の正面外観斜視図、図２はこの食器洗い機の背面外観斜視図、図３はこの食器洗い機の要部の右側面縦断面図、図４は本食器洗い機の設置状況の一例を示す斜視図である。
【００２９】
図４に示すように、本実施例の食器洗い機は、通常、台所のシステムキッチン１００の天板１０１上に設置される。そして、シンク１０２上方の水道栓１０３の蛇口先端に本食器洗い機の付属部品として（又は別売品として）用意される分岐給水器具９２を装着し、その分岐給水器具９２と本食器洗い機背面側の図示しない給水ホース連結口との間を給水ホース９０で以て連結する。また、本食器洗い機の背面側の図示しない排水ホース連結口に一端が接続された排水ホース９１をシンク１０２まで延ばし、その末端をシンク１０２内に開放する。食器洗いを行いたい場合に、使用者は分岐給水器具９２のレバーを回動させてその内部水路を給水ホース９０側に切り替え、水道栓１０３の開閉栓を開いて食器洗い機へ、より詳しくは貯水タンク３１へ給水を行う。一方、食器洗い機からの排水は排水ホース９１を通してシンク１０２内に放出される。
【００３０】
図１〜図３に示すように本食器洗い機は、大別して本体部１と貯水部３０とから成り、本体部１が扁平薄形形状の貯水部３０の上に載った構造となっている。本体部１はその外形を形成する本体筐体２を有し、この本体筐体２の内部には乾燥室を兼用する洗浄庫３が配設されている。本体筐体２は、本体部１の上面及び左右両側面を被覆する略コ字状の上側面板２ａと、本体部１の背面を被覆する背面板２ｂとを含み、上側面板２ａの下縁端は内方に略直角に折り曲げられて下部のタンク収納筐体４０の上に載った状態で固定され、背面板２ｂはタンク収納筐体４０の後壁面の上縁部の上に載った状態で固定されている。
【００３１】
図３に示すように、洗浄庫３の前面開口には、その上端及び下端でそれぞれ軸支される上部ドア４及び下部ドア５が、上下方向に観音開きするように取り付けられている。下部ドア５の上端中央部にはドア開放操作体６が設けられており、使用者がこのドア開放操作体６を指で押して下部ドア５を図３で左方に開けると、これに連動して上部ドア４が上方に開放する。下部ドア５の下方には使用者が本食器洗い機に動作の指示を与えるための複数の操作キーが配置された操作パネル７が設けられている。
【００３２】
食器類を収容するための食器籠８は、上部ドア４及び下部ドア５を開放した状態で洗浄庫３内に出し入れされる。洗浄庫３の内底部には、上面に複数の水噴射穴１０が形成された、垂直軸を中心に回転自在であるノズルアーム９が設けられている。この食器洗い機では洗浄庫３の幅が奥行よりも大きいため、１本のノズルアームだけでは洗浄庫３内の両側方部まで水が行き渡らない。そこで、回転時においても図示したノズルアーム９と干渉しない位置に並んで、図示しない他のノズルアームが設けられている。洗浄庫３の底部には一段低く窪んで水溜め部１１が形成されており、その上面には、食器類から流れ落ちた残菜を捕集するための残菜フィルタ１２が着脱自在に設けられている。
【００３３】
洗浄庫３の底壁面下方には、左右方向に延在するように洗浄兼排水ポンプ１３が配置されている。洗浄兼排水ポンプ１３は、図示しないものの、隔壁で区画された洗浄ポンプ室と排水ポンプ室とを有しており、洗浄ポンプ室内及び排水ポンプ室内には、ポンプモータの同軸に取り付けられた洗浄用インペラ及び排水用インペラが設けられている。洗浄ポンプ室の吸入口１４は水溜め部１１の後壁に設けられた循環口１５に接続され、洗浄ポンプ室の吐出口１６は左右方向に延在して配設された通水路１７を介してノズルアーム９及び図示しないもう一方のノズルアームの水路に連通している。一方、図示していないが、排水ポンプ室の吸入口は水溜め部１１の側壁に設けられた排水口１８に接続され、排水ポンプ室の吐出口は排水管１９を介して後述する排出流路ユニット６０内の流路に接続されている。
【００３４】
洗浄庫３内に貯留された水の水位は、水溜め部１１に連通する図示しないエアトラップケース、洗浄庫３の背面下部に配置された圧力センサ、及びエアトラップケースと圧力センサとを連結するエアホースから成る庫内水位センサ２０により検知される。また、洗浄庫３の底部には、洗浄庫３内に貯留された水を温めるとともに乾燥時には洗浄庫３内の空気を加熱するためのループ状のヒータ２１が配設されている。
【００３５】
なお、図示しないものの洗浄兼排水ポンプ１３の横に送風装置が配置されており、乾燥運転時にヒータ２１に通電されるとともに送風装置のファンが回転駆動されると、本体筐体２の側面又は背面に形成された吸気口から外気が洗浄庫３内へと導入され、ヒータ２１で加熱された熱風で洗浄庫３内に収容されている食器類を乾燥し、一方、洗浄庫３内の湿気を含む空気は前面側上部の排気口から機外へと排出される。
【００３６】
上記構成の本体部１では、図３に示す洗浄水位Ｌ１までの水が洗浄庫３内に貯留された状態で洗いやすすぎが実行される。即ち、洗浄兼排水ポンプ１３のポンプモータは、正転方向に回転駆動されることで洗浄ポンプとして機能する。このとき、回転する洗浄用インペラの作用によって、循環口１５を通して水溜め部１１から吸い込んだ水を通水路１７を介してノズルアーム９へと圧送する。すると、ノズルアーム９の上面に設けられた水噴射穴１０から水が噴出し、その水勢によってノズルアーム９は垂直軸を中心に所定方向に回転する。水噴射穴１０から噴射された水は洗浄庫３内に収容されている食器類に当たり、食器類に付着している汚れを落としたり洗剤水を流したりする。
【００３７】
一方、洗浄兼排水ポンプ１３のポンプモータが逆転方向に回転駆動されることで、洗浄兼排水ポンプ１３は排水ポンプとして機能する。このときには、回転する排水用インペラの作用により、排水口１８を通して水溜め部１１から吸い込んだ水を排水管１９へと送る。
【００３８】
本体部１の下面は開放されており、洗浄庫３の底部の四隅付近に下方に延伸して設けられた四本の支持脚３ａが貯水部３０のタンク収納筐体４０の上壁面上で支え受けられている。貯水部３０は、上記のように洗浄庫３内で行われる食器類の洗いやすすぎに必要な水を予め貯留しておくとともに、所定のタイミングでこの貯留水を洗浄庫３内に送給する機能を有する。
【００３９】
次に、この貯水部３０の構造について説明する。図５は貯水部３０においてタンク収納筐体４０の上面部材を取り外した状態の上面斜視図、図６は図５の状態で貯水タンクの蓋を取り外した状態の上面平面図、図７は図６中のＡ−Ａ’矢視線断面図、図８は貯水タンクの斜視図、図９は貯水タンクの上面部材及び溢水口部材を取り外した状態を示す斜視図、図１０は溢水口部材の斜視図である。なお、図５では給水ポンプの記載を省略しており、図６では給水ポンプを記載してある。
【００４０】
貯水部３０は、水を貯留するための貯水タンク３１と、該貯水タンク３１を前方へ引き出し自在に収納する前面が開放されたタンク収納筐体４０と、を含む。この例ではタンク収納筐体４０と本体筐体２とは別であるが、これを一体化することもできる。
【００４１】
貯水タンク３１は、図８に示すように、底面、左右両側面、前面及び後面を形成する凹状の容器部材３２と、上面を形成する上面部材３３とから成るが、上面部材３３の周縁部は容器部材３２の上縁部に熱溶着されることで両者は一体化される。
【００４２】
上面部材３３の略中央には円形状の開口３３１が形成され、その開口３３１を閉塞するように蓋体３４が密閉可能に設けられている。貯水タンク３１は全体としては扁平な略直方体形状であるが、後壁面にあって左右方向の中央から少し右側に片寄った位置に、内方（つまり前方側）に窪んで凹形状に形成された凹部３１１を有し、さらにその右方は外方（つまり後方側）に膨出した凸形状に形成された凸部３１２を有する。凹部３１１はタンク収納筐体４０側に固定される給水ポンプユニット５０との干渉を避けるために設けられている。一方、凸部３１２はその内側に、貯水タンク３１内の貯留水の水位が満水であることを検知するためのタンク満水センサの検知室が設けられる。この点は後述する。さらに、貯水タンク３１の後面にあって左方にも内方に窪んだ凹部３１３が形成されており、ここには略水平に後方に突出して後述する円筒形状の溢水パイプが設けられている。
【００４３】
図３及び図９に示すように、貯水タンク３１の容器部材３２の底壁面３２１は全体として前方から後方に向かって低くなるように傾斜しており、特に凹部３１１の内側が最も低い窪み部３２２となっている。この凹部３１１の後面下部に後方に向かって略水平に円筒形状の出水パイプ３２３が延設されている。この出水パイプ３２３が貯水タンク３１への注水時に貯水タンク３１外から水が流れ込む流入口であり、一方、本体部１の洗浄庫３に給水を行う際には貯水タンク３１からの水の流出口となる。
【００４４】
容器部材３２の左後部には底壁面３２１から上方に大きく略直方体形状に膨出して、上面に開口３２５を有する溢水口取付部３２４が形成されている。この溢水口取付部３２４に下方（つまり容器部材３２の底壁面の下方）から図１０に示す溢水口部材（本発明における管路部材に相当）３５を嵌め込んで下から四隅のネジで固定することにより、貯水タンク３１の内部に溢水口が形成される。溢水口部材３５はその内部に略Ｌ字形状の溢水流路３５１を有し、図７に示すように溢水口取付部３２４に取り付けられた状態では、その溢水流路３５１の上端が貯水タンク３１内で略水平に開放した溢水口３５２となり、溢水流路３５１の出口側は上述の凹部３１３に突出している溢水パイプ（本発明における溢水管に相当）３５３となる。
【００４５】
この溢水口３５２の高さが貯水タンク３１の溢水水位Ｌ２となり、貯留水の水位がこれを越えると溢水流路３５１を通って貯水タンク３１外に水が流出する。この例では、溢水口部材３５の上端は容器部材３２の上端よりも上に高さｔだけ突出した構成としているが、高さｔの異なる溢水口部材に交換することにより貯水タンク３１内での溢水水位Ｌ２の高さを変更することができる。これは、例えば異なる機種の食器洗い機において同一の貯水タンク３１を利用し、且つ溢水水位Ｌ２を変更したい場合に都合がよい。
【００４６】
また、貯水タンク３１の上面部材３３と容器部材３２とは水平面で以て熱溶着されるが、容器部材３２と溢水口部材とが一体成型されていると、溢水口をその溶着面よりも高い位置にすることが難しい。これに対し、上記構成では、溢水口部材３５を容器部材３２と分離してその外側から後で取り付けできるようにしているため、上面部材３３と容器部材３２とを熱溶着した後に溢水口部材３５を取り付けることで、熱溶着面の位置よりも溢水口３５２の位置を高くすることができる。
【００４７】
タンク収納筐体４０の下部部材４１は底壁面４１ａ、左側壁面４１ｂ、右側壁面４１ｃ、後壁面４１ｄを有し、左右両側壁面４１ｂ、４１ｃの内側には、この部材の剛性を高めるための補強リブ４１１が壁面に沿って形成されている。さらにその内側には、貯水タンク３１の左右両側に延出したフランジ部３１６を保持しつつ貯水タンク３１を前後方向にスライド移動させるためのガイドレール４１２が左右一対で立設されている。このガイドレール４１２自体も上記補強リブ４１１と同様に補強の役目を果たす。
【００４８】
下部部材４１の底壁面４１ａの右後部には図３及び図６に示すように本発明における給水手段としての給水ポンプユニット５０が装着される。給水ポンプユニット５０においては、その底部に扁平形状のポンプ室５１が形成され、このポンプ室５１内で垂直軸を中心にインペラを回転駆動するポンプモータ５２がその上部に設けられている。ポンプ室５１の底面に開口した吸込口から前方に向かって延びる吸い込み管５３は上方に延伸する給水パイプ部５４と前方に向かって略水平に延伸する円筒形状の吸入パイプ５５とに分岐している。この吸入パイプ５５の内径は貯水タンク３１の出水パイプ３２３の外径よりも僅かに大きく、貯水タンク３１がタンク収納筐体４０に収納されたときに、図３に示すように、出水パイプ３２３が吸入パイプ５５の内側に挿入されることで両者は連結される。
【００４９】
両パイプ３２３、５５にはそれぞれ、両者が嵌挿されたときに管路を開放し、両者が離脱されるときに速やかに管路を閉塞するような開閉弁３６、５６がそれぞれ設けられている。これにより、貯水タンク３１内に水が貯留された状態で貯水タンク３１がタンク収納筐体４０から引き出されても、開閉弁３６、５６がそれぞれ出水パイプ３２３及び吸入パイプ５５の管路を閉鎖するので、多量の水が流出することを防止できる。
【００５０】
給水パイプ部５４の上部には、給水ポンプユニット５０の側方を通って本体筐体２の背面後方まで延出される給水配管５８が接続され、前述のように分岐給水器具９２を経た水道水を導入するための給水ホース９０の端部がこの給水配管５８の端部に接続される。これにより、給水配管５８を通して水道水が外部から貯水タンク３１内に供給できるようになっている。但し、貯水タンク３１側から水道栓の側への水の逆流を防止するために、給水配管５８の途中には逆止弁が介挿されている。
【００５１】
ポンプ室５１の吐水口に接続された吐水配管５７はほぼ真上に延伸し、洗浄庫３の後面下部に設けられた給水口２２に接続されている。貯水タンク３１に十分な水位の水（例えば満水水位Ｌ３の水）が貯留された状態では、ポンプ室５１内にも水が充満している。このときに、ポンプモータ５２によりインペラが所定方向に回転駆動されると、吸い込み管５３を通して貯水タンク３１内の水がポンプ室５１に吸引され、ポンプ室５１から吐水配管５７内に水が押し上げられて給水口２２を経て洗浄庫３内に注ぎ込まれる。このようにして、給水ポンプユニット５０は貯水タンク３１内の貯留水を洗浄庫３内へと送給する。
【００５２】
一方、本食器洗い機から機外へと水を排出するために、タンク収納筐体４０の下部部材４１の後壁面４１ｄには奥行き方向に薄型扁平形状である排出流路ユニット６０を備える。この排出流路ユニット６０は、洗浄庫３に一旦貯留された水を排出するための排水管１９を通した水と貯水タンク３１内の過剰な量の水を排出するための溢水パイプ３５３を通した水とを一系統に集約して排水ホース９１に導くものである。
【００５３】
次に、図７に加えて図１１を参照して排出流路ユニット６０の構造について説明する。図１１は排出流路ユニットの背面側の板状の第２部材を取り外して内部の流路を露出した状態での背面斜視図である。
【００５４】
排出流路ユニット６０は、流路を形成するための所定形状のリブが形成された第１部材６１とこの第１部材６１と熱溶着される第２部材６３とを含み、両部材６１、６３の間に流路が形成される。なお、第１部材６１、第２部材６３はそれぞれ合成樹脂の一体成型品であるが、特に据付設置時などに食器洗い機の背面は障害物に接触する可能性が高い。そこで、こうした際にも排出流路ユニット６０の損傷を防止することを目的として、排出流路ユニット６０の背面には第２部材６３全体を覆うように合成樹脂製のカバー６５がネジで固着される（図２参照）。
【００５５】
図７に示すように、第１部材６１は、貯水タンク３１がタンク収納筐体４０に収納された状態で貯水タンク３１側の溢水パイプ３５３に対応する位置に前方に向かって延出する溢水口連結部６１１を有しており、溢水口連結部６１１の前端面には逆止弁を内部に備える連結管６４が装着されている。これにより、貯水タンク３１がタンク収納筐体４０に収納されると貯水タンク３１側の溢水パイプ３５３の後方側端部が連結管６４の内側に嵌挿され、この連結管６４を介して溢水パイプ３５３と溢水口連結部６１１とが接続される。
【００５６】
図１１に示すように、排出流路ユニット６０内には、上記溢水口連結部６１１から合流室（本発明における合流部に相当）６１２まで続く溢水流路６１３と、排水管１９が接続される排水入口６１４から合流室６１２まで続く排水流路６１５とが形成され、合流室６１２で両流路６１３、６１５は合流してその下面に設けられた合流口６１６から排水ホース連結口６１７まで一系統の流路が設けられている。排水入口６１４は合流室６１２のほぼ直上に位置し、左右方向に幅広形状である合流室６１２への排水流路６１５の接続口には、合流室６１２内部に垂下するように一対の整流用のリブ６１８が形成されている。
【００５７】
一方、溢水口連結部６１１から溢水流路６１３への流入口は合流室６１２の側方で、合流口６１６よりも少し高い位置に設けられている。そして、溢水流路６１３はその途中で流路の断面全体が合流口６１６よりも低くなるように屈曲形状になっており、合流室６１２の左側面（但し、図１１は背面から見た図であるので右側面）上部に接続されている。合流室６１２への溢水流路６１３の接続口にはその下縁部が合流室６１２内部に略水平に延出するようにリブ６１９が形成されている。
【００５８】
上述のように幅広い空間を有する合流室６１２内に２つのリブ６１８が垂下しており、リブ６１８の左右には緩衝空間６１２ａ、６１２ｂが形成されている。洗浄庫３内からの排水時には排水入口６１４から排水流路６１５へと勢いよく多量の水が流れ込んで来るが、合流室６１２に入る際に左右のリブ６１８によりその流れは左右に広がりにくく、その直下の合流口６１６に効率よく案内される。また、排水流路６１５を通って合流室６１２内に吐き出された水のうち、直接合流口６１６に入らなかった水は、両側の緩衝空間６１２ａ、６１２ｂ内に広がることでその勢いが殺がれる。さらに、緩衝空間６１２ｂに略水平に延出したリブ６１９が障害になって、水は上に上がりにくい。こうしたことから、排水流路６１５から合流室６１２内に勢いよく水が吐き出されても、この水が合流室６１２から溢水流路６１３内に入って、該流路６１３内を逆流することを防止することができる。
【００５９】
また、上述したように溢水口連結部６１１から溢水流路６１３への流入口は合流口６１６よりも高い位置であるため、合流口６１６よりも下流の流路や合流室６１２の底部に水が溜まっている状態でも、貯水タンク３１内に過剰に供給された水が溢水口等を通って溢水流路６１３に流れ込み、合流室６１２に達して合流口６１６から排出される。したがって、貯水タンク３１からの水の溢流を確実に行える。
【００６０】
また、溢水流路６１３の途中が合流口６１６よりも低くされているため、溢水流路６１３に流れ込んだ水は完全には合流口６１６から排出されず、溢水流路６１３への水の流れ込みが無くなったとき溢水流路６１３内に水が溜まる。最も低い部分では溢水流路６１３の流路断面は溜まった水で塞がれるので、この部分が水封トラップとして機能する。そして、仮に不快害虫などが合流室６１２から溢水流路６１３を通って入り込もうとした場合でも、上記水封トラップによってその進路を閉ざされ、貯水タンク３１の内部にまで到達することを防止することができる。
【００６１】
以上のような構成の排出流路ユニット６０を用いることで、貯水部３０の背面側の奥行き方向に狭いスペースを有効に利用して、洗浄庫３からの排水と貯水タンク３１からの溢水とを合流させて一本の排水ホースで機外に排出することができる。
【００６２】
次に、貯水タンク３１の凸部３１２の内部に形成される検知室３７１を含んで構成されるタンク満水水位センサ（本発明における水位検知手段に相当）３７の構成と動作について説明する。図１２はタンク満水センサ周辺の上面図、図１３はタンク満水センサの動作説明のための概略縦断面図である。
【００６３】
検知室３７１内の両側壁面には光が通過可能な透明の窓３７２が形成され、検知室３７１内には水位の上下動に伴って上下する黒色の球体（本発明におけるフロートに相当）３７３が収容されている。タンク収納筐体４０側には、貯水タンク３１がタンク収納筐体４０に収納されときに、凸部３１２を左右から挟むように発光部３７５と受光部３７６とを対とする光センサが配設されている。この光センサは、発光部３７５から出射した光を受光部３７６で受け、その光の受光強度により球体３７３の上下方向の位置を検知するものである。なお、球体３７３を黒色にすることにより光の反射が抑制され、迷光による光センサでの誤検知を減らすことができる。
【００６４】
この実施例の構成では、検知室３７１内では立設されたリブ（本発明におけるフロート初期位置設定手段に相当）３７４により球体３７３の初期位置（つまり貯水タンク３１内に水が溜まっていない状態での位置）が嵩上げされており、そのときに球体３７３により光が遮られる高さに光センサが配置されているのが特徴である（図１３（ｂー１）参照）。このとき球体３７３の高さは貯水タンク３１の満水水位Ｌ３よりも少し低い位置に設定されている。
上記構成のタンク満水センサの動作を、従来の一般的な構成の場合の動作と比較して説明する。
【００６５】
従来の一般的な構成としては、図１３（ａ−１）に示すように、リブ３７４は設けられておらず、球体３７３は検知室３７１の底部にあり、光センサは、水位上昇に伴って球体３７３により光が一旦遮られ、その後に再び光が通過するようになったときに満水を検知するような高さに設けられる。この場合、貯水タンク３１内の水位が低く球体３７３が低い位置にあるときには、発光部３７５から出射した光は検知室３７１内を通過して受光部３７６に到達する。水位が上昇して図１３（ａ−２）に示すように球体３７３が発光部３７５、受光部３７６とほぼ同じ高さまで上昇すると、発光部３７５から出射した光が球体３７３に遮られて受光部３７６に到達せず、受光強度が急に下がる。そして、さらに水位が上がって球体３７３が上昇すると、発光部３７５から出射した光が再び受光部３７６に到達するようになるから、これにより満水になったことを検知できる。満水が検知されると給水ポンプ５０が作動され、貯水タンク３１内の貯留水は吸引されて一旦その水位が下がるが（図１３（ａ−３）参照）、洗浄庫３に所定水位の水が溜まって給水ポンプユニット５０の動作が停止されると、再び貯水タンク３１内の水位が上がって図１３（ａ−２）の状態となって満水が検知される。
【００６６】
ところが、例えば水道栓の給水圧力が高く、水道栓からの給水流量が給水ポンプユニット５０の吸引流量よりも多いような場合には、給水ポンプ５０が作動し始めても貯水タンク３１内の水位が下がらないことがある。その場合に、球体３７３は発光部３７５から出射した光を遮るように移動しないので、二回目の満水検知ができないという問題がある。
【００６７】
これに対し、上述したような本実施例の構成では、貯水タンク３１内に給水が開始されて暫くは光センサの検知出力は得られず（図１３（ｂ−１）参照）、水位が満水水位Ｌ３付近にまで上昇すると球体３７３が浮き上がって光を遮らなくなり、光センサの検知出力が得られるようになる（図１３（ｂ−２）参照）。給水ポンプユニット５０が作動した後、光センサの検知出力がずっと得られない状態であれば、貯水タンク３１内は満水状態が継続していると認識できる。一方、給水ポンプユニット５０が作動した後、光センサの検知出力が再び得られれば（図１３（ｂ−３）参照）、給水ポンプユニット５０による水の吸引によって貯水タンク３１内の水位が下がったことがわかり、その後に再び光センサの検知出力が無くなれば満水であると認識できる。このように本実施例におけるタンク満水センサの構成では、水道栓からの給水流量が多い場合でも確実に満水検知を行うことができるという利点がある。
【００６８】
なお、上記実施例は本発明の一例にすぎず、本発明の趣旨の範囲で適宜、変形、修正又は追加などを行っても本発明に包含されることは明らかである。
【図面の簡単な説明】
【００６９】
【図１】本発明の一実施例による食器洗い機の外観斜視図。
【図２】本実施例の食器洗い機の背面外観斜視図。
【図３】本実施例による食器洗い機の要部の右側面縦断面図。
【図４】本実施例の食器洗い機の設置状態の一例を示す斜視図。
【図５】貯水部においてタンク収納筐体の上面部材を取り外した状態の上面斜視図。
【図６】図５の状態で貯水タンクの蓋を取り外した状態の上面平面図。
【図７】図６中のＡ−Ａ’矢視線断面図。
【図８】貯水タンクの斜視図。
【図９】貯水タンクの上面部材及び溢水口部材を取り外した状態を示す斜視図。
【図１０】溢水口部材の斜視図。
【図１１】排出流路ユニットの背面側の第２部材を取り外して内部の流路を露出した状態での背面斜視図。
【図１２】タンク満水センサ周辺の上面図。
【図１３】タンク満水センサの動作説明図。
【符号の説明】
【００７０】
１…本体部
２…本体筐体
３…洗浄庫
１９…排水管
３０…貯水部
３１…貯水タンク
３２…容器部材
３２４…溢水口取付部
３３…上面部材
３３１…開口
３４…蓋体
３５…溢水口部材
３５１…溢水流路
３５２…溢水口
３５３…溢水パイプ
３７…タンク満水水位センサ
３７１…検知室
３７２…窓
３７３…球体
３７４…リブ
３７５…発光部
３７６…受光部
４０…タンク収納筐体
４１…下部部材
５０…給水ポンプユニット
６０…排出流路ユニット
６１…第１部材
６１１…溢水口連結部
６１２…合流室
６１２ａ、６１２ｂ…緩衝空間
６１３…溢水流路
６１４…排水入口
６１５…排水流路
６１６…合流口
６１７…排水ホース連結口
６１８、６１９…リブ
６３…第２部材
６４…連結管
６５…カバー
９１…排水ホース
【図１】
2007075228.tif 000003
【図２】
2007075228.tif 000004
【図３】
2007075228.tif 000005
【図４】
2007075228.tif 000006
【図５】
2007075228.tif 000007
【図６】
2007075228.tif 000008
【図７】
2007075228.tif 000009
【図８】
2007075228.tif 000010
【図９】
2007075228.tif 000011
【図１０】
2007075228.tif 000012
【図１１】
2007075228.tif 000013
【図１２】
2007075228.tif 000014
【図１３】
2007075228.tif 000015